(57)【特許請求の範囲】
【請求項１】
ＰＣＢ上にプレート、ＥＬ及びＬＣＤを順に積み重ね、これらをホルダーで締付一体化して構成されるＬＣＤディスプレイにおいて、
前記プレートに前記ＥＬを前記ＬＣＤに押圧するための弾性アームを一体に切り起こし状に複数形成し、上記ＬＣＤディスプレイの平面視で、上記各弾性アームのうちの一部の弾性アームと他部の弾性アームとの各突出方向を互いに逆方向にし、かつ、上記突出方向とは反対方向で、上記一部と他部の各弾性アームを互いに離間配置したことを特徴とするＬＣＤディスプレイ。
【発明の詳細な説明】
【０００１】
【発明の属する技術分野】
本発明は、デジタル液晶表示メータの表示ユニットとしてのＬＣＤディスプレイに関する。
【０００２】
【従来の技術】
この種のＬＣＤディスプレイは、自動車、自動二輪車、各種ウォータビークル等のスピードメータ、タコメータ、燃料計、距離計、時計、各種アラーム類等のデジタル液晶表示メータの表示ユニットとして用いられるが、これは図４に示すように構成されていた。
【０００３】
即ち、図４は従来のＬＣＤディスプレイ１０１の構成を示す断面図であり、ＬＣＤディスプレイ１０１はＰＣＢ（電子基板）１０２上に樹脂製のプレート１０３、夜間用のバック照明としてのＥＬ（エレクトロルミネセンス）１０４及びＬＣＤ（液晶表示素子）１０５及びＬＣＤ１０５とＰＣＢ１０２を接続するためのラバーコネクタ１０６を積み重ねてこれらをホルダー１０７で締付一体化して構成されるが、従来はＥＬ１０４とプレート１０３との間にスポンジ板１０８を介設してＥＬ１０４の厚みのバラツキをスポンジ板１０８の弾性変形によって吸収する構成が採用されていた。
【０００４】
【発明が解決しようとする課題】
ところが、従来のＬＣＤディスプレイ１０１においては、ＥＬ１０４の厚みのバラツキを吸収するためのスポンジ板１０８が設けられていたため、組み立てに手間が掛る他、部品点数が増大してコストアップを招くという問題があった。
【０００５】
本発明は上記問題に鑑みてなされたもので、その目的とする処は、組立性の改善と部品点数の削減及びこれに伴うコストダウンを図ることができるＬＣＤディスプレイを提供することにある。
【０００６】
【課題を解決するための手段】
上記目的を達成するため、本発明は、ＰＣＢ上にプレート、ＥＬ及びＬＣＤを順に積み重ね、これらをホルダーで締付一体化して構成されるＬＣＤディスプレイにおいて、前記プレートに前記ＥＬを前記ＬＣＤに押圧するための弾性アームを一体に切り起こし状に複数形成し、上記ＬＣＤディスプレイの平面視で、上記各弾性アームのうちの一部の弾性アームと他部の弾性アームとの各突出方向を互いに逆方向にし、かつ、上記突出方向とは反対方向で、上記一部と他部の各弾性アームを互いに離間配置したことを特徴とする。
【０００７】
従って、本発明によれば、プレート自体に一体に形成した弾性アームの弾性変形によってＥＬの厚みのバラツキ等を吸収するとともに、弾性アームの弾発力によってＥＬをＬＣＤに押圧して密着させることができるため、従来必要であったスポンジ板が不要となり、部品点数を削減してコストダウンを図ることができるとともに、組立性を改善して組立時間を短縮することができる。
【０００８】
【発明の実施の形態】
以下に本発明の実施の形態を添付図面に基づいて説明する。
【０００９】
図１は本発明に係るＬＣＤディスプレイの構成を示す断面図、図２は同ＬＣＤディスプレイの分解斜視図、図３は同ＬＣＤディスプレイを内蔵したデジタル液晶表示メータの断面図である。
【００１０】
図３に示すデジタル液晶表示メータ１０は例えば自動二輪車のスピードメータ等として使用され、これは上下に２分割された上ケース１１と下ケース１２内に本発明に係るＬＣＤディスプレイ１を収納して構成されており、ＬＣＤディスプレイ１の背面（下面）から導出するリード線１３は下ケース１２を貫通してこれの外部に延出しており、その端部にはカプラー１４が取り付けられている。又、上ケース１１の上面にはレンズ１５が嵌め込まれている。
【００１１】
ところで、指針式のアナログメータに例えばスピードメータ、タコメータ、水温計、燃料計及び時計の機能を持たせようとすると５個のムーブメントが必要となってメータが大型化するが、この種のデジタル液晶表示メータ１０は単一のＬＣＤディスプレイ１に速度、回転数、水温、燃料残量、時刻等の情報を表示することができるため、小型・軽量化が可能となる。又、デジタル液晶表示メータ１０は、燃料消費量と走行距離とで燃費を表示したり、走行距離と時間とで平均速度等を表示する等、指針式のアナログメータでは表示し得ない情報も表示することができるというを利点を有している。
【００１２】
ここで、本発明に係る前記ＬＣＤディスプレイ１の構成の詳細を図１及び図２に基づいて説明する。
【００１３】
本発明に係るＬＣＤディスプレイ１も図４に示した従来のものと同様にＰＣＢ（電子基板）２上に樹脂製のプレート３、夜間用のバック照明としてのＥＬ４及びＬＣＤ（液晶表示素子）５及びＬＣＤ５とＰＣＢ２を接続するためのラバーコネクタ６を積み重ねてこれらをホルダー７で締付一体化して構成されるが、本発明に係るＬＣＤディスプレイ１は従来必要であったスポンジ板１０８（図４参照）を省略した点が従来のものとは異なっている。
【００１４】
即ち、図２に示すように、本発明に係るＬＣＤディスプレイ１においては、前記プレート３は下面が開口する矩形ボックス状に一体成形されており、その上面の左右両側部には基端部を中心として上下に弾性変形可能な切り起こし状の弾性アーム３ａがそれぞれ３列を成して一体に形成されている。各弾性アーム３ａはプレート３の左右方向（長辺方向）に長い矩形の板バネ状に成形されており、前後方向（短辺方向）に３列に並設された左右各側の弾性プレート３ａはその自由端（前記ＥＬ４を弾性支持する部分）が左右方向に対して交互に外向き／内向き／外向きとなるように配設されている。つまり、前後方向両側の弾性アーム３ａの自由端は外向き、中央の弾性アーム３ａの自由端は内向きとなっている。
【００１５】
又、前記ホルダー７は板金によって逆チャンネル状にプレス成形されており、その上面中央部には前記ＬＣＤ５が臨む矩形の開口部７ａが形成されている。そして、このホルダー７の長辺側の各側壁７ｂの下部には３つのＬ次状（鍵状）を成す係止片７ｃが適当な間隔で一体に突設されている。
【００１６】
他方、前記ＰＣＢ２の前後方向両側の前記ホルダー７の係止片７ｃに対応する位置には各３つの矩形孔２ａが長辺に沿って適当な間隔で形成されている。
【００１７】
ここで、ＬＣＤ５の厚みｈ1 とＥＬ４の厚みｈ2 及びプレート３の厚み（底面から弾性アーム３ａの頂部までの高さ寸法）ｈ3 の和（ｈ1 ＋ｈ2 ＋ｈ3 ）はホルダー７の組付高さ（側壁７ｂの高さ寸法）Ｈよりも大きく（ｈ1 ＋ｈ2 ＋ｈ3 ＞Ｈ）設定されている。
【００１８】
而して、本発明に係るＬＣＤディスプレイ１は次の要領で組み付けられる。
【００１９】
即ち、ＰＣＢ２上にプレート３、ＥＬ４及びＬＣＤ５をこの順に順次積み重ねるとともに、ラバーコネクタ６を載せ、これらを上方から覆うようにホルダー７を被せ、該ホルダー７の各係止片７ｃをＰＣＢ２に形成された各矩形孔２ａに通す。すると、ＥＬ４及びＬＣＤ５はプレート３に一体形成された複数の弾性アーム３ａによって弾性支持される。このとき、前述のようにＬＣＤ５の厚みｈ1 とＥＬ４の厚みｈ2 及びプレート３の厚みｈ3 の和（ｈ1 ＋ｈ2 ＋ｈ3 ）はホルダー７の組付高さＨよりも大きく（ｈ1 ＋ｈ2 ＋ｈ3 ＞Ｈ）設定されているため、ホルダー７をＰＣＢ２に押し付ければプレート３の各弾性アーム３ａが（ｈ1 ＋ｈ2 ＋ｈ3 ）−Ｈだけ弾性変形した時点でホルダー７の係止片７ｃの屈曲部７ｃ−１全体がＰＣＢ２の底面から下方へ突出する。従って、その係止片７ｃの屈曲部７ｃ−１を内側へ略直角に折り曲げれば、図１に示すようにＰＣＢ２、プレート３、ＥＬ４、ＬＣＤ５及びラバーコネクタ６がホルダー７で締付一体化されてＬＣＤディスプレイ１が組み付けられる。
【００２０】
ところで、組付状態にあるＬＣＤディスプレイ１においては、ＥＬ４の厚みｈ2 のバラツキ、その他各種寸法誤差等はプレート３に一体に形成された弾性アーム３ａの弾性変形によって吸収されるとともに、弾性アーム３ａの弾発力によってＥＬ４をＬＣＤ５に押圧して密着させることができるため、従来必要であったスポンジ板（図４参照）１０８が不要となり、部品点数を削減してコストダウンを図ることができるとともに、組立性を改善して組立時間を短縮することができる。
【００２１】
而して、以上のようにして組み付けられたＬＣＤディスプレイ１を図１に示すように上ケース１１と下ケース１２内に収納することによってデジタル液晶表示メータ１０が構成され、このデジタル液晶表示メータ１０は例えば自動二輪車のスピードメータとしての用途に供せられる。
【００２２】
尚、本実施の形態では、プレート３の上面に弾性アーム３ａを形成したが、プレート３の上下を逆にしてその下面に同様の弾性プレートを一体に形成しても前記と同様の効果が得られることは言うまでもない。
【００２３】
【発明の効果】
以上の説明で明らかなように、本発明によれば、ＰＣＢ上にプレート、ＥＬ及びＬＣＤを順に積み重ね、これらをホルダーで締付一体化して構成されるＬＣＤディスプレイにおいて、前記プレートに前記ＥＬを前記ＬＣＤに押圧するための弾性アームを一体に切り起こし状に複数形成し、上記ＬＣＤディスプレイの平面視で、上記各弾性アームのうちの一部の弾性アームと他部の弾性アームとの各突出方向を互いに逆方向にし、かつ、上記突出方向とは反対方向で、上記一部と他部の各弾性アームを互いに離間配置したため、プレートに一体に形成された弾性アームの弾性変形によってＥＬの厚みのバラツキを吸収するとともに、弾性アームの弾発力によってＥＬをＬＣＤに押圧して密着させることができ、従来必要であったスポンジ板が不要となって部品点数の削減及びコストダウンを図ることができるとともに、組立性を改善して組立時間を短縮することができるという効果が得られる。
【図面の簡単な説明】
【図１】本発明に係るＬＣＤディスプレイの構成を示す断面図である。
【図２】本発明に係るＬＣＤディスプレイの分解斜視図である。
【図３】本発明に係るＬＣＤディスプレイを内蔵したデジタル液晶表示メータの断面図である。
【図４】従来のＬＣＤディスプレイの構成を示す断面図である。
【符号の説明】
１        ＬＣＤディスプレイ
２        ＰＣＢ
３        プレート
３ａ      弾性アーム
４        ＥＬ
５        ＬＣＤ
６        ラバーコネクタ
７        ホルダー
１０      デジタル液晶表示メータ
【図１】
0003835644.tif 000002
【図２】
0003835644.tif 000003
【図３】
0003835644.tif 000004
【図４】
0003835644.tif 000005